(57)【特許請求の範囲】
【請求項１】
発光素子が実装された基板を、透光カバーが設けられた管内に収容し、口金部を両端に設けた直管形発光源内装ランプであって、
前記口金部と嵌合接続する一対の受金部を備えたソケットから給電され、
前記受金部のそれぞれには突部が形成されており、
前記口金部のそれぞれは、電極と、該電極を囲む嵌合凸枠とを備え、前記突部のそれぞれに嵌合するように、該嵌合凸枠の一部を分断して合わせ凹部が形成されている、直管形発光源内装ランプ。
【請求項２】
前記口金部の一方は接地用の電極を備え、他方は給電用電極を備えており、かつ
前記一方の口金部に形成された合わせ凹部の位置と、他方の口金部に形成された合わせ凹部の位置とが異なって形成されている、請求項１記載の直管形発光源内装ランプ。
【請求項３】
前記口金部の一方は接地用の電極を備え、他方は給電用電極を備えており、かつ
前記一方の口金部に形成された合わせ凹部の個数と、他方の口金部に形成された合わせ凹部の個数とが異なって形成されている、請求項１記載の直管形発光源内装ランプ。
【請求項４】
直管形発光源内装ランプに給電するため、前記直管形発光源内装ランプの両端に設けた口金部を嵌合接続するようにした一対の受金部を備えた直管形発光源内装ランプ用ソケットであって、
前記口金部のそれぞれは、電極と、該電極を囲む嵌合凸枠とを備え、該嵌合凸枠の一部を分断して合わせ凹部を形成した構造にされており、
前記直管形発光源内装ランプの口金部の嵌合凸枠に形成された合わせ凹部に対応した突部を、前記一対の受金部に形成している、直管形発光源内装ランプ用ソケット。
【請求項５】
一方のソケットは、前記一方の口金部の嵌合凸枠が挿入される受金部を備え、該受金部は、前記一方の口金部の合わせ凹部に対応するリブ状の前記突部が形成され、かつ、他方のソケットの方向に後退可能に弾性的に付勢されており、
他方のソケットは、前記他方の口金部の嵌合凸枠が挿入される受金部を備え、該受金部は、前記他方の口金部の合わせ凹部に対応するリブ状の前記突部が形成されている請求項４記載の直管形発光源内装ランプ用ソケット。
【請求項６】
請求項１〜３のいずれか１項に記載の直管形発光源内装ランプと、請求項４〜５のいずれかに記載された直管形発光源内装ランプ用ソケットとを組み合わせた照明装置。
【発明の詳細な説明】
【技術分野】
【０００１】
本発明は、直管形蛍光ランプに類似した外観を有し、発光ダイオードなどを実装した基板が内装された直管形発光源内装ランプに関する。
【背景技術】
【０００２】
従来、施設の照明等に好適な長尺の直管形蛍光ランプとして、１１０Ｗ型のものと、これとは管径、管長の異なる８６Ｗ型（高周波点灯専用）のものとが市販されている。しかし両者に互換性はなく、口金部の形状も異なっている。以下、この点について説明する。
【０００３】
図７（ａ）〜（ｇ）は、１１０Ｗ型蛍光ランプと、ソケットとの接続関係を示す図面である。ここに（ａ）は一方のソケットの側面図、（ｂ）はそのソケットの受金部を示す正面図、（ｃ）は口金部を示す蛍光ランプの正面図、（ｄ）はそのランプの側面図、（ｅ）はそのランプの口金部を示す背面図、（ｆ）は他方のソケットの受金部を示す正面図、（ｇ）はそのソケットの側面図になっている。一方のソケットと蛍光ランプとは、（ｂ）と（ｃ）の間の紙面を谷折りした状態で接続され、他方のソケットと蛍光ランプとは、（ｅ）と（ｆ）との間の紙面を谷折りした状態で接続される。
【０００４】
１１０Ｗ型蛍光ランプ１００の口金部１３は、（ｃ）、（ｅ）に示すように、正面から見えると、一対の電極１３ａと、その電極１３ａを囲む嵌合凸枠１３ｂとからなるが、嵌合凸枠１３ｂは周囲に凹凸がない滑らかな楕円形状になっている。そしてソケット２００も、（ｂ）、（ｆ）に示すように、受金部２１に、その嵌合凸枠１３ｂに対応した嵌合凹枠２１ｂが形成され、その内側に一対の電極２１ａが設けられている。
【０００５】
一方、図８（ａ）〜（ｇ）は、８６Ｗ型蛍光ランプと、ソケットとの接続関係を示す図面である。ここに（ａ）は一方のソケットの側面図、（ｂ）はそのソケットの受金部を示す正面図、（ｃ）は口金部を示す蛍光ランプの正面図、（ｄ）はそのランプの側面図、（ｅ）はそのランプの口金部を示す背面図、（ｆ）は他方のソケットの受金部を示す正面図、（ｇ）はそのソケットの側面図になっている。一方のソケットと蛍光ランプとは、（ｂ）と（ｃ）の間を谷折りした状態で接続され、他方のソケットと蛍光ランプとは、（ｅ）と（ｆ）との間を谷折りした状態で接続される。
【０００６】
８６Ｗ型蛍光ランプの口金部１３は、（ｃ）、（ｅ）に示すように、嵌合凸枠１３ｂの対向する２カ所に突起１３ｘが設けられ、ソケット２００も、（ｂ）、（ｆ）に示すように、その突起１３ｘに対応した凹部２１ｘが設けられている。
【０００７】
したがって、１１０Ｗ型蛍光ランプは、１１０Ｗ型蛍光ランプ対応ソケットと、８６Ｗ型蛍光ランプ対応ソケットとの両方に嵌合可能であるが、８６Ｗ型蛍光ランプは、その口金部１３の突起１３ｘを受け入れる凹部２１ｘが１１０Ｗ型蛍光ランプ対応ソケット２００には設けられていないために、１１０Ｗ型蛍光ランプ対応ソケットには嵌合不可能であり、その凹部２１ｘが設けられた８６Ｗ蛍光ランプ用ソケットだけに嵌合可能である。その結果、８６Ｗ型蛍光ランプは高周波点灯専用とするという規格的な要求が守られることになる。
【０００８】
また次の特許文献１には、定格ランプ電力について、適合しない直管形ランプとソケットの組合せによる誤接続を防止するために、口金に平面視矩形状の一対の凸部を設け、受金には、その凸部に対応した平面視矩形状の凹部を設けることが提案されている。
【先行技術文献】
【特許文献】
【０００９】
【特許文献１】特許第４２６１８０８号公報
【発明の概要】
【発明が解決しようとする課題】
【００１０】
ところで近年は、省エネ志向の高まりから、従来の照明器具の替わりに、発光ダイオード等を利用した低消費電力タイプのものが用いられる場合が増えている。直管形蛍光ランプも例外ではなく、これに類似した外観を有し、発光ダイオードなど実装した基板が内装された直管形発光源内装ランプが開発、市販され始めている。
【００１１】
そのような直管形発光源内装ランプは、蛍光ランプと同様に両端に口金部が設けられるが、発光原理が蛍光ランプとは異なるため、その口金部を通じて、発光源に対応した直流電源を供給する、あるいは、ランプ内に収容された電源回路に適した交流電源を供給する必要があり、更に、安全性のため接地をする必要もある。
【００１２】
そこで本発明は、従前の蛍光ランプを直管形のＬＥＤランプなどに設備替えする場合に、既設の蛍光ランプ用の給電用ソケットをそのまま使用できる直管形発光源内装ランプを提供することを目的とする。
【００１３】
更に、接地側ソケット、給電側ソケットに接続するべき口金部を両端に設けた直管形発光源内装ランプにおいて、口金部とソケットとの誤接続が生じない直管形発光源内装ランプを提供することを目的とする。
【００１４】
更に、従前の蛍光ランプを直管形のＬＥＤランプなどに設備替えした場合に、既設の蛍光ランプの口金部は接続できず、本願発明の直管形発光源内装ランプのみが接続できる直管形発光源内装ランプ用給電ソケットを提供することを目的とする。
【課題を解決するための手段】
【００１５】
本発明による直管形発光源内装ランプは、発光素子が実装された基板を、透光カバーが設けられた管内に収容し、口金部を両端に設けた直管形発光源内装ランプであって、前記口金部と嵌合接続する一対の受金部を備えたソケットから給電され、前記受金部のそれぞれには突部が形成されており、前記口金部のそれぞれは、電極と、該電極を囲む嵌合凸枠とを備え、前記突部のそれぞれに嵌合するように、該嵌合凸枠の一部を分断して合わせ凹部が形成されている。
【００１６】
前記口金部の一方は接地用の電極を備え、他方は給電用電極を備えており、かつ前記一方の口金部に形成された合わせ凹部の位置と、他方の口金部に形成された合わせ凹部の位置とが異なるとよい。
【００１７】
前記口金部の一方は接地用の電極を備え、他方は給電用電極を備えており、かつ前記一方の口金部に形成された合わせ凹部の個数と、他方の口金部に形成された合わせ凹部の個数とが異なってもよい。
【００１８】
本発明によるランプ用ソケットは、直管形発光源内装ランプに給電するため、前記直管形発光源内装ランプの両端に設けた口金部を嵌合接続するようにした一対の受金部を備えた直管形発光源内装ランプ用ソケットであって、前記口金部のそれぞれは、電極と、該電極を囲む嵌合凸枠とを備え、該嵌合凸枠の一部を分断して合わせ凹部を形成した構造にされており、前記直管形発光源内装ランプの口金部の嵌合凸枠に形成された合わせ凹部に対応した突部を、前記一対の受金部に形成している。
【００１９】
ここに一方のソケットは、前記一方の口金部の嵌合凸枠が挿入される受金部を備え、該受金部は、前記一方の口金部の合わせ凹部に対応するリブ状の前記突部が形成され、かつ、他方のソケットに向けて、後退可能に弾性的に付勢されており、他方のソケットは、前記他方の口金部の嵌合凸枠が挿入される受金部を備え、該受金部は、前記他方の口金部の合わせ凹部に対応するリブ状の前記突部が形成されていてもよい。
【００２０】
本発明による照明装置は、前記直管形発光源内装ランプと、前記直管形発光源内装ランプ用ソケットとを組み合わせて構成される。
【発明の効果】
【００２１】
本願発明の直管形発光源内装ランプによれば、ランプの口金部の嵌合凸枠に特別な突部等を設けていないので、ランプの寸法形状を従前の蛍光ランプと同じに設計し、かつ、従前の給電用ソケットの受金部に形成された凹部に嵌め入れ可能な寸法形状に形成しておけば、従前の蛍光ランプ用のソケットを取り替えることなくそのまま使用できる。したがって、従前の照明器具に直管形のＬＥＤランプを使用するための改造が簡単になって、資源の有効利用が図れる。なお、その改造では、電源回路を取り換えたり、配線を繋ぎかえたりする必要はあるが、ソケットがそのまま使用できるので、リフォーム時の電気工事作業を容易にし、かつコストも軽減できる。
【００２２】
また、直管形発光源内装ランプの両端に設ける口金部を請求項２または３の構成とし、それらに対応したソケットの構造を、一方の口金部、他方の口金部に対応した構造に形成したものと組み合わせて使用することで、接地用ソケット、給電用ソケットへの誤接続が防止できる。特に、請求項２の構成によれば、両端の口金部に設けた合わせ凹部の位置が上下に異なっているので、直管形発光源内装ランプを、給電用ソケットに接続する際に、天地を逆にして接続されることもない。請求項２または３の口金部の構造は、直管形発光源内装ランプの極性のある直流給電型、極性のない交流給電型のいずれにも適用してもよいが、請求項２、３のうちの一方の口金部の構造を直流給電型に特定し、他方の口金部の構造を交流給電型に特定したものを組み合わせ使用すれば、直流給電型を交流給電型あるいはその逆に誤って接続することが未然に防止できる。
【００２３】
請求項４、５の直管形発光源内装ランプ用給電ソケットによれば、給電用ソケットの受金部側には、請求項１における直管形発光源内装ランプの嵌合凸枠に形成した合わせ凹部に対応した突部を設けている。この場合、突部は、合わせ凹部に嵌め入れられるために口金部は受金部に接続できる。しかし従前の蛍光ランプは、このような合わせ凹部がないので、受金部に設けた突部によって、接続が拒否される。よって既設の蛍光ランプが誤って接続されることがない。
【００２４】
請求項６に記載の本発明の照明装置によれば、給電用ソケットには従前の蛍光ランプは接続できず、本願発明の直管形発光源内装ランプのみが接続できる。
ここに、本発明の照明装置は、請求項１〜３に記載した直管形発光源内装ランプのいずれかに、請求項４、５に記載したランプ用ソケットのいずれかを組み合わせて構成され、それぞれに対応した効果がある。
【図面の簡単な説明】
【００２５】
【図１】（ａ）〜（ｇ）は、本発明の実施形態に係る照明装置を構成する直管形発光源内装ランプと、ソケットとの組み合わせ例を示す図面である。
【図２】（ａ）は本発明による直管形発光源内装ランプの斜視図、（ｂ）は直管形発光源内装ランプの部分破断底面図である。
【図３】（ａ）は接地用ソケットの斜視図、（ｂ）は給電用ソケットの斜視図である。
【図４】（ａ）〜（ｇ）は、本発明の実施形態に係る照明装置を構成する他の直管形発光源内装ランプと、ソケットとの組み合わせ例を示す図面である。
【図５】は、同直管形発光源内装ランプの外観を示す斜視図である。
【図６】は、給電用ソケットの他例を示す斜視図である。
【図７】（ａ）〜（ｇ）は、従来の照明装置の一例を構成する蛍光ランプと、ソケットとの組み合わせ例を示す図面である。
【図８】（ａ）〜（ｇ）は、従来の照明装置の他例を構成する蛍光ランプと、ソケットとの組み合わせ例を示す図面である。
【発明を実施するための形態】
【００２６】
以下、本発明の実施例を、図面を参照しながら説明する。
図１（ａ）〜（ｇ）は、本発明の照明装置を構成する直管形発光源内装ランプとソケットとの組み合せを示している。ここに（ａ）、（ｂ）は接地用ソケットの側面図と、その正面図、（ｆ）、（ｇ）は給電用ソケットの正面図、そのソケットの側面図になっている。（ｃ）、（ｄ）は直管形発光源内装ランプの正面図、側面図、（ｅ）はそのランプの背面図、である。
接地用ソケットと、直管形発光源内装ランプとは、（ｂ）と（ｃ）の間を谷折りした状態で接続され、直管形発光源内装ランプと、給電用ソケットとは、（ｅ）と（ｆ）との間を谷折りした状態で接続される。
また図２（ａ）、（ｂ）は、直管形発光源内装ランプの外観斜視、およびその内部構造を示す図面である。ここに（ａ）は直管形発光源内装ランプの斜視図、（ｂ）は直管形発光源内装ランプの部分破断底面図で、図では、透光カバーの一部が破断されており、その内部にある基板が見えている。なお、基板の一部は省略している。
図３（ａ）、（ｂ）は、ソケットの外観を示す図面であり、（ａ）は接地用ソケットの斜視図、（ｂ）は給電用ソケットの斜視図である。
【００２７】
ランプ１は、発光素子が実装された基板１１を、透光カバー１２が設けられた管内に収容し、口金部１３を両端に設けた基本構造を有する。発光素子１１ａは、高輝度白色発光ダイオードが好適であるが、これには限定されず、他の種別の発光素子を採用してもよい。
ランプ１は、断面が略半円である筒形の金属本体１４に、断面が略半円である筒形の透光カバー１２を向かい合わせて接合し、全体として蛍光灯のような直管形の外観となっている。
【００２８】
基板１１は、発光素子１１ａが透光カバー１２側に向くようにして、金属本体１４に固定されている。透光カバー１２は、ランプ１が所定の高さに配置されたときに、床面を良好に照らす配光特性となるように、レンズパターン１２ａが長手方向に筋状に彫刻されている。なお、透光カバー１２は、透明な樹脂でも、乳白色な樹脂でもよいが、樹脂に含有させる拡散剤の分量は、配光特性を考慮して定められる。
【００２９】
発光素子１１ａは一般に直流駆動であるが、ランプ１自体は、直流給電に対応した構成も、交流給電に対応した構成も可能である。前者であれば、照明器具（不図示）の本体に必要とされる直流電源装置（不図示）を設ければよく、後者であればランプ１に同様な直流電源装置（不図示）を内蔵させればよい。この場合、直流電源装置は、基板１１の背後等に配置するとよい。
【００３０】
以下では、直流給電に対応した構成について、ランプ１の口金部１３の構成、ソケットの受金部２１の構成を詳しく述べる。
口金部１３は金属本体１４の両端にそれぞれ固定されている。口金部１３の一方は、図２（ａ）、（ｂ）に示すように接地用電極を備えた接地用口金部１３Ａであり、他方は直流の給電用電極を備えた給電用口金部１３Ｂである。いずれの口金部１３も、一対の電極１３ａと、それらを囲む嵌合凸枠１３ｂが形成された絶縁性の凸枠部材１３ｄとを有している。
嵌合凸枠１３ｂは、楕円形状をなしており、その楕円長軸は、基板１１の幅方向に一致している。また嵌合凸枠１３ｂは一部が分断され、その分断された部分が合わせ凹部１３ｃを形成している。
【００３１】
接地用口金部１３Ａは、合わせ凹部１３ｃが、嵌合凸枠１３ｂの上辺（ランプの天井側）に、すなわち、金属本体１４側の辺に形成されている。一方、給電用口金部１３Ｂは、合わせ凹部１３ｃが、嵌合凸枠１３ｂの下辺（ランプの床側）に、すなわち透光カバー１２側の辺に形成されている。
つまり接地用口金部１３Ａに形成された合わせ凹部１３ｃと、給電用口金部１３Ｂに形成された合わせ凹部１３ｃとは、上、下の位置が異なっているが、上、下の位置の異なる構成は一例に過ぎず、要は、両者の位置が異なっていればよい。また、この例では、合わせ凹部１３ｃは、嵌合凸枠１３ｂの一部を分断してスリット状に形成しているが、同部分を分断せずに内側に屈曲させて溝状に形成してもよい。
【００３２】
ランプ１の口金部１３に対応して、ソケット２も、接地用と、給電用との２種別があり、以下では、それぞれを接地用ソケット２Ａ、給電用ソケット２Ｂと呼ぶが、接地用ソケット２Ａ、給電用ソケット２Ｂは、ランプ１に対して一対となって使用される。
すなわち、それらはランプ１の管長に適合する距離を隔てて、受金部２１を向かい合わせにして、照明器具の本体、あるいは建造物の天井面等に固定、設置される。
【００３３】
接地用ソケット２Ａは、図３（ａ）に示すように、照明器具本体、あるいは建造物の天井面に固定される脚部２２と、ランプ１の接地用口金部１３Ａに適合する受金部２１とを備える。受金部２１は、一対の電極２１ａと、接地用口金部１３Ａの嵌合凸枠１３ｂが挿着される嵌合凹枠２１ｂが形成された絶縁性の凹枠部材２１ｄとからなる。凹枠部材２１ｄは、脚部２２から後退可能に突出し、スプリングなどの弾性体（不図示）によって、他方の給電用ソケットに向く付勢力を受けている。また嵌合凹枠２１ｂは、嵌合凸枠１３ｂに対応した楕円形の広がりを有する。
【００３４】
嵌合凹枠２１ｂの内周面には、接地用口金部１３Ａの嵌合凸枠１３ｂに形成された合わせ凹部１３ｃに対応して、リブ状の突部２１ｃが形成されている。接地用口金部１３Ａの合わせ凹部１３ｃは嵌合凸枠１３ｂの上辺に設けられていることから、このリブ状の突部２１ｃも嵌合凹枠２１ｂの上辺に設けられている。
【００３５】
嵌合凹枠２１ｂの内側中心部には、電極固定部２１ｅ（図１（ｂ）参照）が突出して形成されている。この例では、リブ状の突部２１ｃは、嵌合凹枠２１ｂと電極固定部２１ｅとを連絡するように形成されているが、このような連絡構造は必須ではなく、合わせ凹部１３ｃの形状に対応していればよい。
【００３６】
電極固定部２１ｅに設けられた一対の電極２１ａは、いずれも板状であって、嵌合凹枠２１ｂの楕円長軸を含む面上に平面的に並べて設けられている。またこれらの電極２１ａはその面上で両者の間隔が拡縮可能とされており、弾性体（不図示）によってその間隔を拡げる向きの付勢力を受けている。したがって接地用口金部１３Ａが、接地用ソケット２Ａの受金部２１に嵌められたときには、口金部側の電極１３ａの向かい合うそれぞれの面に対して、電極２１ａのそれぞれの外側端面が、弾性体の付勢力によって圧接して、電気的な接続が確保される。
【００３７】
一方の給電用ソケット２Ｂは、接地用ソケット２Ａと基本的には同様の構造を有しているが、図３（ｂ）に示すように、受金部２１を構成する凹枠部材２１ｄは、脚部２２に対して移動不可能に一体的に形成され、嵌合凹枠２１ｂに形成されるリブ状の突部２１ｃは、給電用口金部１３Ｂの嵌合凸枠１３ｂに形成された合わせ凹部１３ｃに対応して、嵌合凹枠２１ｂの下辺に設けられている。
【００３８】
次いで、上述とは異なる例として、交流給電に対応したランプと、ソケットの構成について説明する。なお、直流給電に対応した構成と共通する点については、詳細な説明を割愛する。
図４は、直管形発光源内装ランプと、ソケットとの接続関係を示す図面である。ここに（ａ）は接地用ソケットの側面図、（ｂ）はそのソケットの受金部を示す正面図、（ｃ）は口金部を示す直管形発光源内装ランプの正面図、（ｄ）はそのランプの側面図、（ｅ）はそのランプの口金部を示す背面図、（ｆ）は給電用ソケットの受金部を示す正面図、（ｇ）はそのソケットの側面図になっている。ここに、接地用ソケットと、直管形発光源内装ランプとは、（ｂ）と（ｃ）の間を谷折りした状態で接続される。そして直管形発光源内装ランプと、給電用ソケットとは、（ｅ）と（ｆ）との間を谷折りした状態で接続される点は、前述のランプと同様である。
また図５は、直管形発光源内装ランプの斜視図、図６は、給電用ソケットの斜視図である。
【００３９】
交流給電に対応したランプ１は、発光素子１１ａに電源を供給するための直流電源回路（不図示）が内蔵されており、ランプ１両端のそれぞれに、接地用口金部１３Ａと、交流用の給電用口金部１３Ｂとを備える。
【００４０】
接地用口金部１３Ａは、直流給電に対応したランプ１のものと共通であってもよいが、給電用口金部１３Ｂは、直流給電に対応したランプ１のものとは異ならせておけば、直流駆動型、交流駆動型の照明器具を混在させた場合でも施行現場での誤装着が防止でき、すこぶる望ましい。
【００４１】
図１〜図４に示した構成に替えて、接地用口金部１３Ａに形成される合わせ凹部１３ｃの個数と、給電用口金部１３Ｂに形成される合わせ凹部１３ｃの個数とを異ならせたものを準備してもよい。図５，図６の例では、接地用口金部１３Ａは、直流給電に対応したランプ１の場合と同様に、合わせ凹部１３ｃが、嵌合凸枠１３ｂの上辺（天井側）に形成されているが、給電用口金部１３Ｂは、合わせ凹部１３ｃが２つあって、その一方は、嵌合凸枠１３ｂの上辺（天井側）、すなわち金属本体１４側の辺に形成され、他方は、嵌合凸枠１３ｂの下辺（床側）、すなわち透光カバー１２側の辺に形成されており、これらの合わせ凹部１３ｃは嵌合凸枠１３ｂ上の対向する位置に設けられている。
【００４２】
接地用ソケット２Ａは、直流給電に対応した構成と共通であるが、給電用ソケット２Ｂは、給電用口金部１３Ｂの嵌合凸枠１３ｂに形成された２つの合わせ凹部１３ｃのそれぞれに対応して、２つのリブ状の突部２１ｃが形成されている。
【００４３】
以上のように構成した２種の直管形発光源内装ランプでは、口金部に形成した嵌合凸枠に特別な突部等を設けていないので、従来の蛍光ランプ用のソケットにもそのまま装着できる。そのため、従前の照明器具にこれらのランプを使用するための改造が簡単になって、資源の有効利用が図れる。また、照明器具の取り替え時には、電源回路を取り換えたり、配線を繋ぎかえたりする必要はあるが、ソケットはそのまま使用できるので、リフォーム時の電気工事作業を容易にし、かつコストも軽減できる。
【００４４】
また、以上のように構成した２種の態様の直管形発光源内装ランプを含んだ照明装置は、いずれも接地用ソケットと、給電用ソケットとで、ランプの口金の合わせ凹部に嵌合するリブ状の突部の位置や個数が異なるので、ランプを上下逆にして装着したり、接地側と給電側とを逆にして装着してしまうということも未然に防止できる。
【００４５】
また、以上のように構成した２種類の態様の直管形発光源内装ランプと、それに対応した一対のソケットとを組み合わせた照明装置の一方の組み合わせ種類を、直流電源駆動型ランプ、他方の組み合わせ種類を交流給電型ランプとして区別して使用すれば、直流給電型ランプ、交流給電型ランプに対応した接地用口金部、給電用口金部のいずれもが交流給電型ランプや直流給電型ランプの給電用ソケットには挿着されないので、ランプの誤装着によるランプ自身や照明器具の損傷が未然に防止できる。
【００４６】
また、従来の蛍光ランプの口金は、直流給電に対応したランプ用のソケット、交流給電に対応したランプ用のソケットのいずれにも嵌らないので、蛍光ランプの誤装着によるランプ自身の損傷や、照明器具の損傷も未然に防止できる
【００４７】
なお以上の説明では、直流給電に対応したランプにおいて、一方の口金部に形成された合わせ凹部の位置と、他方の口金部に形成された合わせ凹部の位置とを異ならせ、交流給電に対応したランプにおいては、一方の口金部に形成された合わせ凹部の個数と、他方の口金部に形成された合わせ凹部の個数とを異ならせるとした。しかしながらその逆の構成、すなわち直流給電に対応したランプにおいて、一方の口金部に形成された合わせ凹部の個数と、他方の口金部に形成された合わせ凹部の個数とを異ならせ、交流給電に対応したランプにおいては、一方の口金部に形成された合わせ凹部の位置と、他方の口金部に形成された合わせ凹部の位置とを異ならせてもよいことはいうまでもない。
【符号の説明】
【００４８】
１          ランプ
１１        基板
１１ａ      発光素子
１２        透光カバー
１３Ａ，１３Ｂ  口金部
１３ａ      電極
１３ｂ      嵌合凸枠
１３ｃ      合わせ凹部
２Ａ、２Ｂ  ソケット
２１        受金部
２１ｂ      嵌合凹枠
２１ｃ      突部
【図１】
0005903255.tif 000002
【図２】
0005903255.tif 000003
【図３】
0005903255.tif 000004
【図４】
0005903255.tif 000005
【図５】
0005903255.tif 000006
【図６】
0005903255.tif 000007
【図７】
0005903255.tif 000008
【図８】
0005903255.tif 000009